(57)【要約】【課題】両手の前腕部間の距離を一定に保ち、かつ、手首の振りを規制することができる、ゴルフアプローチショット練習具を提供することにある。【解決手段】ゴルフクラブのグリップエンド５０に取り付けて使用するアプローチショットの練習具１であって、グリップエンド５０に冠着する取付け部４と、ゴルファーの両腕前腕部で押圧挟持する本体部２と、取付け部４と本体部２との間隙に介在し手首の動きを規制する所要の硬度を有するとともに衝撃吸収性をも有する柔軟部材からなるスペーサー部３Ａとからなり、本体部２はゴルファーの両肘が開かないように両腕前部で密着挟持し得る所要の厚みと両腕前腕部の曲面に相応する凹曲面５，６を有する構成からなる。【選択図】図１
2019130255.tif 000002
【特許請求の範囲】
【請求項１】
ゴルフクラブのグリップエンドに取り付けて使用するアプローチショットの練習具であって、グリップエンドに冠着する取付け部と、ゴルファーの両腕前腕部で押圧挟持する本体部と、前記取付け部と前記本体部との間隙に介在し手首の動きを規制する所要の硬度を有するとともに衝撃吸収性をも有する柔軟部材からなるスペーサー部とからなり、前記本体部はゴルファーの両肘が開かないように両腕前腕部で密着挟持し得る所要の厚みと両腕前腕部の曲面に相応する凹曲面を有することを特徴とするゴルフアプローチショット練習具。
【請求項２】
前記スペーサー部は板状部材からなり、前記本体部に面ファスナーにより着脱自在に付着することを特徴とする請求項１に記載のゴルフアプローチショット練習具。
【請求項３】
前記本体部の両凹曲面が、左右非対称の形状であることを特徴とする請求項１または請求項２に記載のゴルフアプローチショット練習具。
【請求項４】
前記本体部が、発泡スチロール、合成樹脂、発泡ウレタン、エラストマー等の材料からなることを特徴とする請求項１から請求項３いずれか１項に記載のゴルフアプローチショット練習具。
【請求項５】
前記スペーサー部が、厚さが一定ではなく板状の上面又は、下面、又は両面が傾斜していることで、厚さが変化していることを特徴とする請求項２に記載のゴルフアプローチショット練習具。
【発明の詳細な説明】
【技術分野】
【０００１】
本発明は、ゴルフのグリーン周辺にて行われるアプローチショット及びグリーン上で行われるパッティングの技術を向上させるために用いられる、ゴルフアプローチショット練習具に関する。
【背景技術】
【０００２】
ゴルフ競技において、グリーン周辺で行われるアプローチショットやグリーン上で行われるパッティングは、スコアーメイクのために大変重要な要素となっている。特に、初心者のゴルファーにとって、アプローチショットの技術を体得することは難易度が高く、この技術を体得することが、スコアー向上に直結する場合が多い。
【０００３】
アプローチショットの難易度が高い理由は、その目標物であるカップが視認できる場合が多く、ゴルファーは目標物を視認すると、その距離を合わせる繊細な力加減のショットを打とうとする意識が強くなるからである。その結果、ゴルファーは、力加減を調整しやすい手首の振りで、打撃力を調整してしまう傾向にある。さらに、手首の振りのみでは目標物であるカップまでボールが届かないとゴルファーは肩を回し、腕を振りかぶってクラブを振る動作も同時に行うことになる。
【０００４】
しかし、上記のようなスイング動作では、腕の動きと手首の振りが上手く連動せず、インパクトポイントでクラブフェースをゴルフボールに正確に当てることが困難となる。インパクトポイントで正確に手首がアドレス時の位置にあれば、クラブヘッドの最下点はアドレス時通りとなり正確なショットを打つことが出来るが、手首の振りが早く返って行き過ぎると、クラブヘッドの下端部でボールの上部を打つ所謂トップ（以下、「トップ」と称する）となり、手首の振りが遅いと、クラブヘッドでボール手前の地面を打つ所謂ダフリ（以下、「ダフリ」と称する）等のミスショットになる可能性が高くなる問題がある。
【０００５】
そこで、アプローチショットでトップやダフリのようなミスショットをしないためには、両肩とグリップで形成される三角形を崩さずにアプローチショットを行うことが重要となる。その三角形を崩さないためには、両肘を曲げずに両手の前腕部間の距離を一定に保つことと、手首を振らず、アドレスした時の位置に固定したままスイングする必要がある。
【０００６】
このようなスイングを体得するために、特許文献１にはゴルフクラブに当接して保持されるようになっている支持部材と、その支持部材に固定されたリンクと、アームパッドからなるゴルフ教習装置（ゴルフアプローチショット練習具）が開示されている。
【先行技術文献】
【特許文献】
【０００７】
【特許文献１】特表平７−５０５３１４号公報
【発明の概要】
【発明が解決しようとする課題】
【０００８】
しかしながら、上記特許文献１に記載のゴルフアプローチショット練習具は、ゴルファーの手首近傍の極小面積にアームパッドを当接させ使用する設定であることから、両肘を曲げずにアプローチショットする動作が完全には規制できない問題があった。また、クラブヘッドからゴルファーの手首までの間に衝撃を緩衝する機構がないことから、実際のゴルフボールを打撃すると、ゴルファーの手首に過大な衝撃が伝わる問題があった。さらに、ゴルファーがミスショットをしてダフリとなった場合は、その衝撃は強さを増しゴルファーが負傷してしまう恐れもあった。
【０００９】
加えて、上記ゴルフアプローチショット練習具は、金属部品を使用していることから、ある程度の強度を確保するためには一定の重量となり、通常のゴルフクラブだけで打つ場合との重量差で発生するクラブヘッドから伝わる打感の違いで、ゴルファーがアプローチ練習で体得する距離感に誤差が生じるという問題もあった。
【００１０】
本考案は、上記課題を鑑みてなされたものであり、その具体的目的は、ゴルフボールを打った打感以外の衝撃が、必要以上にゴルファーの腕に伝わらず、比較的軽量でゴルフボールを打った時のクラブヘッドから伝わる打感に影響が少なく、両手の前腕部間の距離を一定に保ち、かつ、手首の振りを規制することができる、ゴルフアプローチショット練習具を提供することにある。
【課題を解決するための手段】
【００１１】
本発明は、上記目的を達成するために案出されたものである。詳述するならば、ゴルフクラブのグリップエンドに取り付けて使用するアプローチショットの練習具であって、グリップエンドに冠着する弾性部材からなるキャップ形状の取付け部と、ゴルファーの手首近傍から肘近傍の所要位置における両腕の前腕部で押圧挟持する本体部と、前記取付け部と前記本体部との間隙に介在し手首の動きを規制する所要の硬度を有するとともに衝撃吸収性をも有する柔軟部材からなるスペーサー部とからなり、前記本体部はゴルファーの両腕前腕部の間隔が開かないように両腕前腕部で密着挟持し得る所要の厚みと、両腕前腕部の凸曲面に相応する凹曲面を有する構成が含まれる。
【００１２】
本発明のゴルフアプローチショット練習具は、本体部でゴルファーの両前腕部の間隔が広がらないように防止するとともに、スペーサー部で手首の動きを制限しつつもゴルフボール打撃時の衝撃を吸収することで、ゴルファーに負担をかけることなく、理想的なアプローチショットのスイング動作を反復練習可能とすることで、ゴルファーがアプローチショットの技術を体得することが可能となる効果がある。
【００１３】
本発明には、前記スペーサー部が硬質ウレタンフォーム等の板状部材からなり、前記本体部の下面に面ファスナーにより着脱自在に付着する構成が含まれる。
【００１４】
本発明のゴルフアプローチショット練習具は、スペーサー部が板状に形成されているので、ゴルファーの体格や使用するゴルフクラブの長さ等により変化するグリップ及び姿勢に合わせて、スペーサー部の厚さの変更や、本体部の下面へ付着する位置を調整することができる効果がある。
【００１５】
本発明には、前記本体部の両凹曲面が、ゴルファーの左右前腕部の凸曲面の形状に相応する曲面に形成されているために、左右非対称の形状である構成が含まれる。
【００１６】
本発明のゴルフアプローチショット練習具は、左右非対称の凹曲面を有することでゴルファーの左右前腕部に適合しやすく密着挟持しやすくなる効果が期待できる。
【００１７】
本発明には、前記本体部が、発泡スチロール、合成樹脂、発泡ウレタン、エラストマー等の軽量部材からなる構成が含まれる。
【００１８】
本発明の本体部が、軽量部材で形成されていることから、通常のゴルフクラブだけで打つ場合との打感差が少なく、ゴルファーがアプローチショット練習で体得する距離感に誤差が生じにくい効果がある。
【００１９】
本発明には、前記スペーサー部の厚さが一定ではなく、板状の上面又は、下面、又は両面が傾斜していることで、厚さが変化している構成が含まれる。
【００２０】
本発明のスペーサー部は、板形状で厚さが一定ではなく厚さが徐々に厚くなるように傾斜していることから、本体部と使用するゴルフクラブとが垂直ではなく角度をつけて付着できることから、ゴルファーの体格により変化するグリップ及び姿勢に合わせて位置を調整しやすい効果がある。
【発明の効果】
【００２１】
本発明のゴルフアプローチショット練習具を使用すると、実際のゴルフボールを打った時に、打感以外の衝撃が必要以上にゴルファーの腕に伝わらないので反復練習が可能であり、比較的軽量なため実際のゴルフボールを打った打感に影響が少なく、距離感を習得することができるとともに、両手の前腕部間の距離を一定に保ち、さらに、手首の振りを規制することで理想的なアプローチショットのフォームが体得できる効果がある。
【図面の簡単な説明】
【００２２】
【図１】本発明に係るゴルフアプローチショット練習具を構成する部品の分解斜視図である。
【図２】図１に係る本体部を示す平面図である。
【図３】本発明に係るゴルフアプローチショット練習具を構成する部品の分解側面図である。
【図４】図３に係るスペーサー部に取付け部を冠着した状態を示す底面図である。
【図５】図３に係る本体部にスペーサー部を付着した状態を示す底面図である。
【図６】図１に係るゴルフアプローチショット練習具の使用状態を示す正面図である。
【図７】基本的なアプローチショットのスイング変化状態を示す説明図である。
【発明を実施するための形態】
【００２３】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、ゴルファーがゴルフアプローチショット練習具を構えた状態で、ゴルファー側を上側といい反対側を下側という。
【００２４】
図１に示されるように、本実施形態に係るゴルフアプローチショット練習具１は、ゴルフクラブのグリップエンド５０に冠着する取付け部４と、ゴルファーの手首近傍から肘近傍の所要位置における前腕部３１，３２で押圧挟持する本体部２と、取付け部４と本体部２との間隙に介在するスペーサー部３Ａとで形成されている。
【００２５】
また、その本体部２は、図２及び図５に示されるように平面視略矩形の左右に前腕部３１，３２に相応する凹曲面５，６を有し、矩形状の四隅を曲線的に面取り加工で形成され、ゴルファーの前腕部３１，３２で密着挟持し得る所要の厚みＴ１を有するブロック状に形成されている。
【００２６】
さらに、本体部２の下面には面ファスナー７Ａが貼着されており、スペーサー部３Ａが着脱自在に付着される。
【００２７】
凹曲面５，６は、左右非対称形に形成されており、本実施形態では右利きのゴルファー用の場合を説明する。
右利きのゴルファーは、左手でグリップエンド近傍を把持し、右手はその下側を把持することになるので、右手の前腕部はやや開き気味の角度となり、凹曲面６は凹曲面５に対して横方向に広い形状に形成されている。また、凹曲面５，６の左右方向の間隔は、ゴルファーが左右両手でゴルフクラブを把持し構えた姿勢の前腕部の位置関係に相応するために、本体部２の上面側より下面側の方が、その間隔が狭く形成されている。なお、左利きのゴルファーは左右逆の位置関係となる。
【００２８】
スペーサー部３Ａ，３Ｂは、平面視略円形で所要の厚みを有する略円柱形状に形成され、また、スペーサー部３Ｂは、上面と下面が並行でないことで厚みが一方の周縁部９Ａより対向する周縁部９Ｂに向って徐々に薄くなるように形成されている。
さらに、スペーサー部３Ａ，３Ｂの上面には、本体部２の面ファスナー７Ａに対応する面ファスナー７Ｂが貼着されており、本体部２にスペーサー部３Ａ，３Ｂが着脱自在となる。
【００２９】
スペーサー部３Ａ，３Ｂの下面には、取付け部４に冠着可能な取付け穴８が形成されている。取付け穴８は取付け部４の外径よりやや小さい寸法で形成され、取付け部４を挿入するとスペーサー部３Ａ，３Ｂは弾性材料からなることから、その復元力で取付け部４を保持し固定し得る。
【００３０】
また、スペーサー部３Ａ，３Ｂの外径を形成する円の中心点と、取付け穴８の中心点は偏心して形成されていること、取付け穴８の底部が半球形状に形成されていることにより取付け部４とスペーサー部３Ａ，３Ｂとは垂直でなくとも冠着可能なことで、ゴルファーの体格や使用するゴルフクラブの長さ等により変化するグリップ及び姿勢に適合する効果がある。
【００３１】
取付け部４は、弾性材料で所謂キャップ形状に形成され、その内径部はグリップエンド取付け穴１０として、グリップエンドの外径よりやや小径に形成されている。
【００３２】
本実施形態のゴルフアプローチショット練習具１を製造する素材としては、本体部２は発泡スチロール、合成樹脂、発泡ウレタン、エラストマー等の軽量材料を使用し、スペーサー部３Ａ，３Ｂは手首の動きを規制する所要の硬度を有するとともに衝撃吸収性をも有する柔軟部材で、例えば、硬質ウレタンフォームを使用し、取付け部４はエラストマー等の弾性材料を使用すれば良い。
その場合の製造方法としては、素材を切削加工にて成形するか、もしくは、金型によるプレス成形や射出成形等で一体成形で製造することができる。
【００３３】
次に、本実施形態に係るゴルフアプローチショット練習具１の使用方法を説明する。
図７に示すのは、基本のアプローチショットの変化状態を順に示したものである。まず、アドレス（Ａ）から始まり、バックスイングに入って腰の高さより低い位置までテークバック（Ｂ）し、次にダウンスイングそしてインパクト（Ｃ）、そして腰の高さより低い位置程度までフォロースルー（Ｄ）する、所謂ビジネスゾーンと言われる範囲でのスイングである。グリーン上で行われるパッティングも略同じ工程となる。
【００３４】
ここで、本実施形態に係るゴルフアプローチショット練習具１を使用するには、まず、図３及び図６に示されるように、グリップエンド５０に取付け部４を冠着し、その上からさらに、スペーサー部３Ａ，３Ｂのいずれかを選択し嵌着することでクラブの準備をする。一方ゴルファーは、左右の前腕部３１，３２を凹曲面５，６に密着させて本体部２を挟持し、両手でグリップを把持し、面ファスナー７Ａ，７Ｂを接合させることでアドレスする。
【００３５】
この時スペーサー部３Ａ，３Ｂの形状、すなわち上面と底面が平行なスペーサー部３Ａ若しくは傾斜したスペーサー部３Ｂかを選択することや、厚み違いのスペーサー部３Ａ，３Ｂを準備選択すること、面ファスナー７Ａ，７Ｂを接合する位置を調整することでゴルファーの体格等により変化するグリップ及び姿勢に適合させる。
【００３６】
アプローチショットの基本は、アドレス時に形成される両肩とグリップ部で形成される三角形の形状を崩すことなくスイングすることである。三角形の形状を崩さずスイングするためには、両肘を曲げず、手首も固定したまま両肩を回すだけでスイングすればよく、そのためには、本実施形態に係るゴルフアプローチショット練習具１の左右の前腕部３１，３２を凹曲面５，６に密着させたまま、スペーサー部３Ａ，３Ｂを本体部２に接続した状態を維持すれば、略三角形の形状を崩さずスイング可能となる。
【００３７】
このようなアプローチショットの基本動作は、反復練習によって体得し得るもので、正確なアプローチショットのスイング技術が得られたことを前提に、次の段階として距離感を覚え込ませることが出来る。これも反復練習で得られるもので、ゴルファーの体感に依存し、所謂体や筋肉に覚えさせるという行為によるものである。
【００３８】
本実施形態に係るゴルフアプローチショット練習具１は、本体部２が所要の厚みＴ１を有すること、スペーサー部３Ａ，３Ｂが衝撃吸収性を有する柔軟部材で形成されていることから反復練習が可能となり、ゴルファーがアプローチショットのスイング技術と距離感を体得することを可能としている。
【実施例】
【００３９】
以下、本発明の実施例について説明するが、本発明は、以下の実施例に限定されるものではなく、発明の要旨の範囲内で適宜変更して実施できる。
【００４０】
本発明のゴルフアプローチショット練習具１を実施するには、図２、図３及び図４等に示される各部の寸法を以下のように設定する。
具体的には、本体部２は発泡スチロールを素材にし、幅Ｗを１４ｃｍとし、高さＨを１３ｃｍとし、厚さＴ１は５ｃｍとした。また、スペーサー部３Ｂは硬質ウレタンフォームを素材にし、外径φ１を７５ｍｍとし、内径φ４を３５ｍｍとし、厚みＴ２を２０ｍｍとした。取付け部４は合成ゴムを素材にし、外径φ３を４２ｍｍとし、内径φ２を２７ｍｍとした。
【００４１】
本実施例のゴルフアプローチショット練習具は、本体部を軽量部材である発泡スチロールを素材にしていることで、実際のゴルフクラブだけの時と重量差がわずかであることから、距離感を体得する際の誤差に影響が少ないとともに、アプローチショットの基本動作を体得する際に、どこの筋肉を使用しているのか、どこの関節が動いていないのか等、体の動きをゴルファー自身が感じ取り易い効果を発揮する。
【００４２】
以上のように、本発明を実施するための最良の構成、方法等は、前記記載で開示されているが、本発明はこれに限定されるものではない。
例えば、上記実施形態や実施例では、スペーサー部を略円柱形状に形成したが、それらに限定するものではなく、例えば、直方体に形成しても良い。
【００４３】
また、上記実施形態や実施例では、本体部を平面視略矩形状の四隅を曲線的に面取り加工し形成したが、それに限定するものではなく、例えば、平面視楕円形状や円形状でも良く、特に形状を限定するものではない。
【００４４】
さらに、上記実施形態や実施例では、左右の前腕部を凹曲面に密着させて本体部を挟持するとしたが、その方法に限定するものではなく、例えば、本体部に固定用のベルトを設け、前腕部に巻き付けた状態で左右の前腕部を凹曲面に密着させて使用することとしても良い。
【符号の説明】
【００４５】
１    ゴルフアプローチショット練習具
２    本体部
３Ａ，３Ｂ    スペーサー部
５，６    凹曲面
７Ａ，７Ｂ    面ファスナー
８    取付け穴
９Ａ，９Ｂ    周縁部
１０    グリップエンド取付け穴
３１，３２    前腕部
５０    グリップエンド
Ｔ１    本体部厚さ
Ｔ２    スペーサー部厚さ
Ｗ    本体部幅
Ｈ    本体部高さ
φ１    スペーサー部外径
φ２    取付け部内径
φ３    取付け部外径
φ４    スペーサー部内径
【図１】
2019130255.tif 000003
【図２】
2019130255.tif 000004
【図３】
2019130255.tif 000005
【図４】
2019130255.tif 000006
【図５】
2019130255.tif 000007
【図６】
2019130255.tif 000008
【図７】
2019130255.tif 000009
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
ゴルフクラブのグリップエンドに取り付けて使用するアプローチショットの練習具であって、グリップエンドに冠着する取付け部と、ゴルファーの両腕前腕部で押圧挟持する本体部と、前記取付け部と前記本体部との間隙に介在し手首の動きを規制する所要の硬度を有するとともに衝撃吸収性をも有する板形状の柔軟部材からなるスペーサー部とからなり、前記本体部はゴルファーの両肘が開かないように両腕前腕部で密着挟持し得る所要の厚みと両腕前腕部の曲面に相応する凹曲面を有し、前記スペーサー部は前記本体部に面ファスナーにより着脱自在に付着することを特徴とするゴルフアプローチショット練習具。
【請求項２】
前記本体部の両凹曲面が、左右非対称の形状であることを特徴とする請求項１に記載のゴルフアプローチショット練習具。
【請求項３】
前記本体部が、発泡スチロール、合成樹脂、発泡ウレタン、エラストマーのいずれかの材料からなることを特徴とする請求項１から請求項２いずれか１項に記載のゴルフアプローチショット練習具。
【請求項４】
前記スペーサー部が、厚さが一定ではなく板状の上面又は、下面、又は両面が傾斜していることで、厚さが変化していることを特徴とする請求項１に記載のゴルフアプローチショット練習具。
【手続補正２】
【補正対象書類名】明細書
【補正対象項目名】全文
【補正方法】変更
【補正の内容】
【発明の詳細な説明】
【技術分野】
【０００１】
本発明は、ゴルフのグリーン周辺にて行われるアプローチショット及びグリーン上で行われるパッティングの技術を向上させるために用いられる、ゴルフアプローチショット練習具に関する。
【背景技術】
【０００２】
ゴルフ競技において、グリーン周辺で行われるアプローチショットやグリーン上で行われるパッティングは、スコアーメイクのために大変重要な要素となっている。特に、初心者のゴルファーにとって、アプローチショットの技術を体得することは難易度が高く、この技術を体得することが、スコアー向上に直結する場合が多い。
【０００３】
アプローチショットの難易度が高い理由は、その目標物であるカップが視認できる場合が多く、ゴルファーは目標物を視認すると、その距離を合わせる繊細な力加減のショットを打とうとする意識が強くなるからである。その結果、ゴルファーは、力加減を調整しやすい手首の振りで、打撃力を調整してしまう傾向にある。さらに、手首の振りのみでは目標物であるカップまでボールが届かないとゴルファーは肩を回し、腕を振りかぶってクラブを振る動作も同時に行うことになる。
【０００４】
しかし、上記のようなスイング動作では、腕の動きと手首の振りが上手く連動せず、インパクトポイントでクラブフェースをゴルフボールに正確に当てることが困難となる。インパクトポイントで正確に手首がアドレス時の位置にあれば、クラブヘッドの最下点はアドレス時通りとなり正確なショットを打つことが出来るが、手首の振りが早く返って行き過ぎると、クラブヘッドの下端部でボールの上部を打つ所謂トップ（以下、「トップ」と称する）となり、手首の振りが遅いと、クラブヘッドでボール手前の地面を打つ所謂ダフリ（以下、「ダフリ」と称する）等のミスショットになる可能性が高くなる問題がある。
【０００５】
そこで、アプローチショットでトップやダフリのようなミスショットをしないためには、両肩とグリップで形成される三角形を崩さずにアプローチショットを行うことが重要となる。その三角形を崩さないためには、両肘を曲げずに両手の前腕部間の距離を一定に保つことと、手首を振らず、アドレスした時の位置に固定したままスイングする必要がある。
【０００６】
このようなスイングを体得するために、特許文献１にはゴルフクラブに当接して保持されるようになっている支持部材と、その支持部材に固定されたリンクと、アームパッドからなるゴルフ教習装置（ゴルフアプローチショット練習具）が開示されている。
【先行技術文献】
【特許文献】
【０００７】
【特許文献１】特表平７−５０５３１４号公報
【発明の概要】
【発明が解決しようとする課題】
【０００８】
しかしながら、上記特許文献１に記載のゴルフアプローチショット練習具は、ゴルファーの手首近傍の極小面積にアームパッドを当接させ使用する設定であることから、両肘を曲げずにアプローチショットする動作が完全には規制できない問題があった。また、クラブヘッドからゴルファーの手首までの間に衝撃を緩衝する機構がないことから、実際のゴルフボールを打撃すると、ゴルファーの手首に過大な衝撃が伝わる問題があった。さらに、ゴルファーがミスショットをしてダフリとなった場合は、その衝撃は強さを増しゴルファーが負傷してしまう恐れもあった。
【０００９】
加えて、上記ゴルフアプローチショット練習具は、金属部品を使用していることから、ある程度の強度を確保するためには一定の重量となり、通常のゴルフクラブだけで打つ場合との重量差で発生するクラブヘッドから伝わる打感の違いで、ゴルファーがアプローチ練習で体得する距離感に誤差が生じるという問題もあった。
【００１０】
本発明は、上記課題を鑑みてなされたものであり、その具体的目的は、ゴルフボールを打った打感以外の衝撃が、必要以上にゴルファーの腕に伝わらず、比較的軽量でゴルフボールを打った時のクラブヘッドから伝わる打感に影響が少なく、両手の前腕部間の距離を一定に保ち、かつ、手首の振りを規制することができる、ゴルフアプローチショット練習具を提供することにある。
【課題を解決するための手段】
【００１１】
本発明は、上記目的を達成するために案出されたものである。詳述するならば、ゴルフクラブのグリップエンドに取り付けて使用するアプローチショットの練習具であって、グリップエンドに冠着する弾性部材からなるキャップ形状の取付け部と、ゴルファーの手首近傍から肘近傍の所要位置における両腕の前腕部で押圧挟持する本体部と、前記取付け部と前記本体部との間隙に介在し手首の動きを規制する所要の硬度を有するとともに衝撃吸収性をも有する柔軟部材からなるスペーサー部とからなり、前記本体部はゴルファーの両腕前腕部の間隔が開かないように両腕前腕部で密着挟持し得る所要の厚みと、両腕前腕部の凸曲面に相応する凹曲面を有し、前記スペーサー部が硬質ウレタンフォーム等の板状部材からなり、前記本体部の下面に面ファスナーにより着脱自在に付着する構成が含まれる。
【００１２】
本発明のゴルフアプローチショット練習具は、本体部でゴルファーの両前腕部の間隔が広がらないように防止するとともに、スペーサー部で手首の動きを制限しつつもゴルフボール打撃時の衝撃を吸収することで、ゴルファーに負担をかけることなく、理想的なアプローチショットのスイング動作を反復練習可能とすることで、ゴルファーがアプローチショットの技術を体得することが可能で、さらに、スペーサー部が板状に形成されているので、ゴルファーの体格や使用するゴルフクラブの長さ等により変化するグリップ及び姿勢に合わせて、スペーサー部の厚さの変更や、本体部の下面へ付着する位置を調整することができる効果がある。
【００１３】
本発明には、前記本体部の両凹曲面が、ゴルファーの左右前腕部の凸曲面の形状に相応する曲面に形成されているために、左右非対称の形状である構成が含まれる。
【００１４】
本発明のゴルフアプローチショット練習具は、左右非対称の凹曲面を有することでゴルファーの左右前腕部に適合しやすく密着挟持しやすくなる効果が期待できる。
【００１５】
本発明には、前記本体部が、発泡スチロール、合成樹脂、発泡ウレタン、エラストマー等の軽量部材からなる構成が含まれる。
【００１６】
本発明の本体部が、軽量部材で形成されていることから、通常のゴルフクラブだけで打つ場合との打感差が少なく、ゴルファーがアプローチショット練習で体得する距離感に誤差が生じにくい効果がある。
【００１７】
本発明には、前記スペーサー部の厚さが一定ではなく、板状の上面又は、下面、又は両面が傾斜していることで、厚さが変化している構成が含まれる。
【００１８】
本発明のスペーサー部は、板形状で厚さが一定ではなく厚さが徐々に厚くなるように傾斜していることから、本体部と使用するゴルフクラブとが垂直ではなく角度をつけて付着できることから、ゴルファーの体格により変化するグリップ及び姿勢に合わせて位置を調整しやすい効果がある。
【発明の効果】
【００１９】
本発明のゴルフアプローチショット練習具を使用すると、実際のゴルフボールを打った時に、打感以外の衝撃が必要以上にゴルファーの腕に伝わらないので反復練習が可能であり、比較的軽量なため実際のゴルフボールを打った打感に影響が少なく、距離感を習得することができるとともに、両手の前腕部間の距離を一定に保ち、さらに、手首の振りを規制することで理想的なアプローチショットのフォームが体得できる効果がある。
【図面の簡単な説明】
【００２０】
【図１】本発明に係るゴルフアプローチショット練習具を構成する部品の分解斜視図である。
【図２】図１に係る本体部を示す平面図である。
【図３】本発明に係るゴルフアプローチショット練習具を構成する部品の分解側面図である。
【図４】図３に係るスペーサー部に取付け部を冠着した状態を示す底面図である。
【図５】図３に係る本体部にスペーサー部を付着した状態を示す底面図である。
【図６】図１に係るゴルフアプローチショット練習具の使用状態を示す正面図である。
【図７】基本的なアプローチショットのスイング変化状態を示す説明図である。
【発明を実施するための形態】
【００２１】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、ゴルファーがゴルフアプローチショット練習具を構えた状態で、ゴルファー側を上側といい反対側を下側という。
【００２２】
図１に示されるように、本実施形態に係るゴルフアプローチショット練習具１は、ゴルフクラブのグリップエンド５０に冠着する取付け部４と、ゴルファーの手首近傍から肘近傍の所要位置における前腕部３１，３２で押圧挟持する本体部２と、取付け部４と本体部２との間隙に介在するスペーサー部３Ａとで形成されている。
【００２３】
また、その本体部２は、図２及び図５に示されるように平面視略矩形の左右に前腕部３１，３２に相応する凹曲面５，６を有し、矩形状の四隅を曲線的に面取り加工で形成され、ゴルファーの前腕部３１，３２で密着挟持し得る所要の厚みＴ１を有するブロック状に形成されている。
【００２４】
さらに、本体部２の下面には面ファスナー７Ａが貼着されており、スペーサー部３Ａが着脱自在に付着される。
【００２５】
凹曲面５，６は、左右非対称形に形成されており、本実施形態では右利きのゴルファー用の場合を説明する。
右利きのゴルファーは、左手でグリップエンド近傍を把持し、右手はその下側を把持することになるので、右手の前腕部はやや開き気味の角度となり、凹曲面６は凹曲面５に対して横方向に広い形状に形成されている。また、凹曲面５，６の左右方向の間隔は、ゴルファーが左右両手でゴルフクラブを把持し構えた姿勢の前腕部の位置関係に相応するために、本体部２の上面側より下面側の方が、その間隔が狭く形成されている。なお、左利きのゴルファーは左右逆の位置関係となる。
【００２６】
スペーサー部３Ａ，３Ｂは、平面視略円形で所要の厚みを有する略円柱形状に形成され、また、スペーサー部３Ｂは、上面と下面が並行でないことで厚みが一方の周縁部９Ａより対向する周縁部９Ｂに向って徐々に薄くなるように形成されている。
さらに、スペーサー部３Ａ，３Ｂの上面には、本体部２の面ファスナー７Ａに対応する面ファスナー７Ｂが貼着されており、本体部２にスペーサー部３Ａ，３Ｂが着脱自在となる。
【００２７】
スペーサー部３Ａ，３Ｂの下面には、取付け部４に冠着可能な取付け穴８が形成されている。取付け穴８は取付け部４の外径よりやや小さい寸法で形成され、取付け部４を挿入するとスペーサー部３Ａ，３Ｂは弾性材料からなることから、その復元力で取付け部４を保持し固定し得る。
【００２８】
また、スペーサー部３Ａ，３Ｂの外径を形成する円の中心点と、取付け穴８の中心点は偏心して形成されていること、取付け穴８の底部が半球形状に形成されていることにより取付け部４とスペーサー部３Ａ，３Ｂとは垂直でなくとも冠着可能なことで、ゴルファーの体格や使用するゴルフクラブの長さ等により変化するグリップ及び姿勢に適合する効果がある。
【００２９】
取付け部４は、弾性材料で所謂キャップ形状に形成され、その内径部はグリップエンド取付け穴１０として、グリップエンドの外径よりやや小径に形成されている。
【００３０】
本実施形態のゴルフアプローチショット練習具１を製造する素材としては、本体部２は発泡スチロール、合成樹脂、発泡ウレタン、エラストマー等の軽量材料を使用し、スペーサー部３Ａ，３Ｂは手首の動きを規制する所要の硬度を有するとともに衝撃吸収性をも有する柔軟部材で、例えば、硬質ウレタンフォームを使用し、取付け部４はエラストマー等の弾性材料を使用すれば良い。
その場合の製造方法としては、素材を切削加工にて成形するか、もしくは、金型によるプレス成形や射出成形等で一体成形で製造することができる。
【００３１】
次に、本実施形態に係るゴルフアプローチショット練習具１の使用方法を説明する。
図７に示すのは、基本のアプローチショットの変化状態を順に示したものである。まず、アドレス（Ａ）から始まり、バックスイングに入って腰の高さより低い位置までテークバック（Ｂ）し、次にダウンスイングそしてインパクト（Ｃ）、そして腰の高さより低い位置程度までフォロースルー（Ｄ）する、所謂ビジネスゾーンと言われる範囲でのスイングである。グリーン上で行われるパッティングも略同じ工程となる。
【００３２】
ここで、本実施形態に係るゴルフアプローチショット練習具１を使用するには、まず、図３及び図６に示されるように、グリップエンド５０に取付け部４を冠着し、その上からさらに、スペーサー部３Ａ，３Ｂのいずれかを選択し嵌着することでクラブの準備をする。一方ゴルファーは、左右の前腕部３１，３２を凹曲面５，６に密着させて本体部２を挟持し、両手でグリップを把持し、面ファスナー７Ａ，７Ｂを接合させることでアドレスする。
【００３３】
この時スペーサー部３Ａ，３Ｂの形状、すなわち上面と底面が平行なスペーサー部３Ａ若しくは傾斜したスペーサー部３Ｂかを選択することや、厚み違いのスペーサー部３Ａ，３Ｂを準備選択すること、面ファスナー７Ａ，７Ｂを接合する位置を調整することでゴルファーの体格等により変化するグリップ及び姿勢に適合させる。
【００３４】
アプローチショットの基本は、アドレス時に形成される両肩とグリップ部で形成される三角形の形状を崩すことなくスイングすることである。三角形の形状を崩さずスイングするためには、両肘を曲げず、手首も固定したまま両肩を回すだけでスイングすればよく、そのためには、本実施形態に係るゴルフアプローチショット練習具１の左右の前腕部３１，３２を凹曲面５，６に密着させたまま、スペーサー部３Ａ，３Ｂを本体部２に接続した状態を維持すれば、略三角形の形状を崩さずスイング可能となる。
【００３５】
このようなアプローチショットの基本動作は、反復練習によって体得し得るもので、正確なアプローチショットのスイング技術が得られたことを前提に、次の段階として距離感を覚え込ませることが出来る。これも反復練習で得られるもので、ゴルファーの体感に依存し、所謂体や筋肉に覚えさせるという行為によるものである。
【００３６】
本実施形態に係るゴルフアプローチショット練習具１は、本体部２が所要の厚みＴ１を有すること、スペーサー部３Ａ，３Ｂが衝撃吸収性を有する柔軟部材で形成されていることから反復練習が可能となり、ゴルファーがアプローチショットのスイング技術と距離感を体得することを可能としている。
【実施例】
【００３７】
以下、本発明の実施例について説明するが、本発明は、以下の実施例に限定されるものではなく、発明の要旨の範囲内で適宜変更して実施できる。
【００３８】
本発明のゴルフアプローチショット練習具１を実施するには、図２、図３及び図４等に示される各部の寸法を以下のように設定する。
具体的には、本体部２は発泡スチロールを素材にし、幅Ｗを１４ｃｍとし、高さＨを１３ｃｍとし、厚さＴ１は５ｃｍとした。また、スペーサー部３Ｂは硬質ウレタンフォームを素材にし、外径φ１を７５ｍｍとし、内径φ４を３５ｍｍとし、厚みＴ２を２０ｍｍとした。取付け部４は合成ゴムを素材にし、外径φ３を４２ｍｍとし、内径φ２を２７ｍｍとした。
【００３９】
本実施例のゴルフアプローチショット練習具は、本体部を軽量部材である発泡スチロールを素材にしていることで、実際のゴルフクラブだけの時と重量差がわずかであることから、距離感を体得する際の誤差に影響が少ないとともに、アプローチショットの基本動作を体得する際に、どこの筋肉を使用しているのか、どこの関節が動いていないのか等、体の動きをゴルファー自身が感じ取り易い効果を発揮する。
【００４０】
以上のように、本発明を実施するための最良の構成、方法等は、前記記載で開示されているが、本発明はこれに限定されるものではない。
例えば、上記実施形態や実施例では、スペーサー部を略円柱形状に形成したが、それらに限定するものではなく、例えば、直方体に形成しても良い。
【００４１】
また、上記実施形態や実施例では、本体部を平面視略矩形状の四隅を曲線的に面取り加工し形成したが、それに限定するものではなく、例えば、平面視楕円形状や円形状でも良く、特に形状を限定するものではない。
【００４２】
さらに、上記実施形態や実施例では、左右の前腕部を凹曲面に密着させて本体部を挟持するとしたが、その方法に限定するものではなく、例えば、本体部に固定用のベルトを設け、前腕部に巻き付けた状態で左右の前腕部を凹曲面に密着させて使用することとしても良い。
【符号の説明】
【００４３】
１    ゴルフアプローチショット練習具
２    本体部
３Ａ，３Ｂ    スペーサー部
５，６    凹曲面
７Ａ，７Ｂ    面ファスナー
８    取付け穴
９Ａ，９Ｂ    周縁部
１０    グリップエンド取付け穴
３１，３２    前腕部
５０    グリップエンド
Ｔ１    本体部厚さ
Ｔ２    スペーサー部厚さ
Ｗ    本体部幅
Ｈ    本体部高さ
φ１    スペーサー部外径
φ２    取付け部内径
φ３    取付け部外径
φ４    スペーサー部内径